(57)【要約】      （修正有）【課題】エアフィルタを容易に交換することができる分析装置を提供する。【解決手段】筐体１０と、筐体の内部に配置された発熱部１４及びファン１３とを備え、筐体の底面には、吸気口１１が形成されるとともに、底面と床との間に空間を設けるための脚部３０が形成されており、吸気口を覆うための所定の位置にエアフィルタ２０が取付け取外し可能な分析装置１であって、エアフィルタを保持するためのトレイ４０を備え、トレイは、網状の板状体部４１と、板状体部の後部に形成されたフィルタ後部曲部４２と、前部に形成された凸状のフィルタ前部当たり４４及び把持部４３とを備える。把持部を把持して、トレイを吸気口から所定の距離で上下移動させると共に、トレイが下方に移動した状態で、トレイを前後方向に移動させることができる。【選択図】図４
0003196212.tif 000002
【実用新案登録請求の範囲】
【請求項１】
筐体と、
前記筐体の内部に配置された発熱部及びファンとを備え、
前記筐体の底面には、吸気口が形成されるとともに、当該底面と床との間に空間を設けるための脚部が形成されており、
前記吸気口を覆うための所定の位置にエアフィルタが取付け取外し可能な分析装置であって、
前記エアフィルタを保持するためのトレイを備え、
前記トレイを前記吸気口から所定の距離で上下移動させる上下移動機構と、
前記トレイが下方に移動した状態で、前記トレイを前後方向に移動させる前後移動機構とを有することを特徴とする分析装置。
【請求項２】
前記吸気口の後部下には、左右方向に回転軸を有するローラが形成されるともに、前記吸気口の前部下には、載置部材が形成されており、
前記トレイの後部には、斜め上方に伸びた曲部が形成されており、前記トレイの前部の下面には、下方に突出した凸部が形成されており、
前記トレイは、前記ローラに前記曲部が当接しながら前後方向に移動することで上下方向に移動するようになっており、前記載置部材に前記凸部が載置されることで前記所定の位置に前記エアフィルタが配置されるようになっていることを特徴とする請求項１に記載の分析装置。
【請求項３】
前記発熱部は、プラズマ用高周波電源と、高周波誘導コイルを有するプラズマトーチとからなることを特徴とする請求項１又は請求項２に記載の分析装置。
【考案の詳細な説明】
【技術分野】
【０００１】
本考案は、分析装置に関し、特にＩＣＰ発光分光分析装置に関する。
【背景技術】
【０００２】
ＩＣＰ発光分光分析装置では、試料をプラズマ炎に導入して励起発光させ、その発光光を回折格子で波長分散させて光検出器で検出することにより、発光スペクトルを取得する。そして、発光スペクトルに現れているスペクトル線（輝線スペクトル）の波長の種類から試料中に含有されている元素の定性分析（同定）を行い、さらにその輝線スペクトルの強度からその元素の定量分析を行っている（例えば、特許文献１参照）。
【０００３】
図６は、ＩＣＰ発光分光分析装置の一例を示す斜視図であり、図７は、図６に示すＩＣＰ発光分光分析装置の断面図である。なお、地面に水平な一方向をＸ方向（左右方向）とし、地面に水平でＸ方向と垂直な方向をＹ方向（前後方向）とし、Ｘ方向とＹ方向とに垂直な方向をＺ方向（上下方向）とする。
ＩＣＰ発光分光分析装置１０１は、直方体形状（例えば８５ｃｍ×６０ｃｍ×６５ｃｍ）の筐体１０を備え、筐体１０の内部には、プラズマ炎を形成するための発光分光分析用プラズマトーチや発光光を検出する測光部や高周波電流を供給するためのプラズマ用高周波電源等の部材（発熱部）１４や、発光分光分析用プラズマトーチ等を冷却する冷却用ファン１３等が配置されている。
【０００４】
このようなＩＣＰ発光分光分析装置１０１では、高周波電流を供給する際には高周波回路基板の素子等が発熱するため、冷却用ファン１３を回転させることによって筐体１０の底面の吸気口１１から内部に空気を吸気して流通させて排気口１２から排出することで、高周波回路基板の素子等に発生する熱を放熱している。
【０００５】
ここで、図８は、図６に示すＩＣＰ発光分光分析装置の底面斜視図である。筐体１０の底面には、長方形（例えば４５ｃｍ×２４ｃｍ）の吸気口１１が形成され、吸気口１１を覆う所定の位置には、網状のエアフィルタ２０が配置されるようになっている。また、筐体１０の背面には、長方形（例えば２０ｃｍ×２０ｃｍ）の排気口１２が形成されている。そして、筐体１０の底面の四隅には、それぞれ円柱形状（例えば高さ５ｃｍ）の脚部３０が設けられている。これにより、筐体１０の底面と床との間の距離Ｙ１（例えば８ｃｍ）が形成されている。
【０００６】
ところで、ＩＣＰ発光分光分析装置１０１では、エアフィルタ２０を定期的に交換する必要がある。そこで、エアフィルタ２０は金具（エアフィルタ保持構造）１４０によって取り付け取り外し可能となっている。図９は、図６に示すＩＣＰ発光分光分析装置において、エアフィルタ２０を交換するときの図である。
金具１４０は、吸気口１１の後部に取り付けられた回転軸部１１５と、回転軸部１１５から−Ｙ方向（前方）に伸び回転軸部１１５を軸として回動可能な２本の針金部１１７と、吸気口１１の前部に取り付けられた係止部１１６とを備える。
【０００７】
このような金具１４０によれば、エアフィルタ２０を所定の位置に配置するときには、エアフィルタ２０を吸気口１１と針金部１１７との間に挟み込んで、針金部１１７の先端部を係止部１１６で固定している（図７参照）。また、エアフィルタ２０を所定の位置から取り外すときには、針金部１１７の先端部を係止部１１６から取り外し、２本の針金部１１７を、回転軸部１１５を軸として下方に回転させた後にエアフィルタ２０を取り出している。
【先行技術文献】
【特許文献】
【０００８】
【特許文献１】特開平１１−１０１７４８号公報
【考案の概要】
【考案が解決しようとする課題】
【０００９】
ところで、上述したようなＩＣＰ発光分光分析装置１０１では、筐体１０の底面から内部に空気を吸気する構造であるため、筐体１０の底面と床との間の距離Ｙ１が必要であるが、距離Ｙ１は、ＩＣＰ発光分光分析装置１０１自体のサイズを小さくするために極力小さい方がよい。しかしながら、手が入らないくらいに距離Ｙ１が狭い場合には、エアフィルタ２０を交換する際の作業性が悪く、エアフィルタ２０を吸気口１１から離すことが困難であり、また、エアフィルタ２０を取り付けるときにも、エアフィルタ２０を所定の位置（正常な位置）に配置することが困難となる。
【００１０】
また、エアフィルタ２０を−Ｙ方向（前方）にスライドさせると、エアフィルタ２０が吸気口１１と接触することがあり、エアフィルタ２０が吸気口１１に引っ掛かって変形してしまい、上手く着脱できないことがあった。
そこで、本考案は、エアフィルタを容易に交換することができる分析装置を提供することを目的とする。
【課題を解決するための手段】
【００１１】
上記課題を解決するためになされた本考案の分析装置は、筐体と、前記筐体の内部に配置された発熱部及びファンとを備え、前記筐体の底面には、吸気口が形成されるとともに、当該底面と床との間に空間を設けるための脚部が形成されており、前記吸気口を覆うための所定の位置にエアフィルタが取り付け取り外し可能な分析装置であって、前記エアフィルタを保持するためのトレイを備え、前記トレイを前記吸気口から所定の距離で上下移動させる上下移動機構と、前記トレイが下方に移動した状態で、前記トレイを前後方向に移動させる前後移動機構とを有するようにしている。
【００１２】
ここで、「所定の距離」とは、設計者等によって底面と床との間の空間内でエアフィルタが吸気口に引っ掛からないように予め決められた任意の距離であり、例えば、０．５ｃｍ等となる。
【考案の効果】
【００１３】
以上のように、本考案の分析装置によれば、吸気方向（上下方向）と垂直となる方向（前後方向）にスライド可能で、取り付けの最後や取り外しの最初に吸気方向（上下方向）にスライドさせるトレイを備えているため、エアフィルタをトレイ上に載置してトレイを後方に押し込むだけで、エアフィルタを所定の位置（正常な位置）に配置することができる。よって、メンテナンス方向（上下方向）の空間が狭くても、エアフィルタを容易に交換することができる。また、トレイを前後方向に移動させる際に、トレイが下方に移動した状態であるので、エアフィルタが吸気口に引っ掛かって変形することもない。
【００１４】
（他の課題を解決するための手段および効果）
また、本考案の分析装置において、前記吸気口の後部下には、左右方向に回転軸を有するローラが形成されるともに、前記吸気口の前部下には、載置部材が形成されており、前記トレイの後部には、斜め上方に伸びた曲部が形成されており、前記トレイの前部の下面には、下方に突出した凸部が形成されており、前記トレイは、前記ローラに前記曲部が当接しながら前後方向に移動することで上下方向に移動するようになっており、前記載置部材に前記凸部が載置されることで前記所定の位置に前記エアフィルタが配置されるようにしてもよい。
【００１５】
さらに、本考案の分析装置において、前記発熱部は、プラズマ用高周波電源と、高周波誘導コイルを有するプラズマトーチとからなるようにしてもよい。
【図面の簡単な説明】
【００１６】
【図１】本考案の実施形態に係るＩＣＰ発光分光分析装置の一例を示す斜視図。
【図２】図１に示すＩＣＰ発光分光分析装置の断面図。
【図３】図１に示すＩＣＰ発光分光分析装置の底面斜視図。
【図４】図１のＩＣＰ発光分光分析装置におけるエアフィルタ交換時の図。
【図５】図１のＩＣＰ発光分光分析装置におけるエアフィルタ交換時の図。
【図６】ＩＣＰ発光分光分析装置の一例を示す斜視図。
【図７】図６に示すＩＣＰ発光分光分析装置の断面図。
【図８】図６に示すＩＣＰ発光分光分析装置の底面斜視図。
【図９】図６のＩＣＰ発光分光分析装置におけるエアフィルタ交換時の図。
【考案を実施するための形態】
【００１７】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１８】
図１は、本考案の実施形態に係るＩＣＰ発光分光分析装置の一例を示す斜視図であり、図２は、図１に示すＩＣＰ発光分光分析装置の断面図であり、図３は、図１に示すＩＣＰ発光分光分析装置の底面斜視図である。なお、ＩＣＰ発光分光分析装置１０１と同様のものについては、同じ符号を付している。
ＩＣＰ発光分光分析装置１は、直方体形状（例えば８５ｃｍ×６０ｃｍ×６５ｃｍ）の筐体１０を備え、筐体１０の内部には、プラズマ炎を形成するための発光分光分析用プラズマトーチや発光光を検出する測光部や高周波電流を供給するためのプラズマ用高周波電源等の部材（発熱部）１４や、発光分光分析用プラズマトーチ等を冷却する冷却用ファン１３等が配置されている。
【００１９】
筐体１０の背面には、長方形（例えば２０ｃｍ×２０ｃｍ）の排気口１２が形成されている。そして、筐体１０の底面の四隅には、それぞれ円柱形状（例えば高さ５ｃｍ）の脚部３０が設けられている。これにより、筐体１０の底面と床との間の距離Ｙ１（例えば８ｃｍ）が形成されている。
【００２０】
筐体１０の底面には、長方形（例えば４５ｃｍ×２４ｃｍ）の吸気口１１が形成されており、吸気口１１の後部の下方には、本体後部ローラ１５が形成されるとともに、吸気口１１の前部の下方には、本体前部当たり（載置部材）１６が形成されている。
本体前部当たり１６は、左右方向に伸びた板状体（例えば２ｃｍ×０．５ｃｍ×７８ｃｍ）であり、本体前部当たり１６の左端部は、筐体１０の左端部に取り付けられ、本体前部当たり１６の右端部は、筐体１０の右端部に取り付けられることで、筐体１０の底面から下方に所定の空間を空けて本体前部当たり１６の上面が配置されている。
【００２１】
本体後部ローラ１５は、左右方向に回転軸を有する左側本体後部ローラ１５ａと、左右方向に回転軸を有する右側本体後部ローラ１５ｂとからなり、左側本体後部ローラ１５ａは、吸気口１１の左後部から下方に所定の空間を空けて（本体前部当たり１６の上面より距離Ｙ２だけ高くなる位置に）設けられ、右側本体後部ローラ１５ｂは、吸気口１１の右後部から下方に所定の空間を空けて（本体前部当たり１６の上面より距離Ｙ２だけ高くなる位置に）設けられている。
【００２２】
フィルタトレイ４０は、網状の板状体部４１（例えば２６ｃｍ×５５ｃｍ×０．５ｃｍ）と、板状体部４１の後部に形成されたフィルタ後部曲部（上下移動機構及び前後移動機構）４２と、板状体部４１の前部に形成されたフィルタ前部当たり（凸部、上下移動機構及び前後移動機構）４４及び把持部４３とを備える。
そして、板状体部４１の上面にフィルタ２０が載置されるようになっている。また、把持部４３は、測定者等によって把持されるようになっており、測定者等は把持部４３を把持して、フィルタトレイ４０を前方に引き出したり、後方に押し込むことができるようになっている。
【００２３】
フィルタ後部曲部４２は、板状体部４１の後部から後ろ斜め上方に伸びており、例えば角度を２０°傾けた板状体となっている。また、フィルタ前部当たり４４は、板状体部４１の前部の下面から下方に距離Ｙ２（例えば０．３ｃｍ）で突出しており、例えば左右方向に中心軸を有する半円柱状体となっている。
【００２４】
ここで、ＩＣＰ発光分光分析装置１において、所定の位置にエアフィルタ２０が配置されている図２の状態について説明する。左側本体後部ローラ１５ａ及び右側本体後部ローラ１５ｂ上に、フィルタトレイ４０の板状体部４１の後部の下面が載置されるとともに、本体前部当たり１６上に、フィルタトレイ４０の板状体部４１のフィルタ前部当たり４４が載置されている。そして、フィルタトレイ４０の板状体部４１の上面に、エアフィルタ２０が載置されている。これにより、エアフィルタ２０は、吸気口１１と板状体部４１との間に挟まれ、その結果、吸気口１１を覆うための所定の位置にエアフィルタ２０が配置される。よって、ＩＣＰ発光分光分析装置１では、冷却用ファン１３が回転することによって、空気はエアフィルタ２０を通過した後、吸気口１１から内部に流通し、その後、排気口１２から排出されることになる。
【００２５】
次に、ＩＣＰ発光分光分析装置１においてエアフィルタ２０を交換する際の交換方法について、図４及び図５に基づき説明する。
まず、図５に示すように、測定者等は把持部４３を把持して、フィルタトレイ４０を前方に引き出す。つまり、筐体１０の底面と床との間に手を入れる必要はない。
【００２６】
測定者等はフィルタトレイ４０を前方に引き出していくが、フィルタ前部当たり４４が本体前部当たり１６上から滑り落ちた後、フィルタトレイ４０の板状体部４１が本体前部当たり１６上に乗り、その結果、フィルタトレイ４０の前部が、吸気口１１から下方に距離Ｙ２だけ離れる。また、フィルタ後部曲部４２が左側本体後部ローラ１５ａ及び右側本体後部ローラ１５ｂ上に乗り、その後、左側本体後部ローラ１５ａ及び右側本体後部ローラ１５ｂに当接しながら前方に移動していくとともに徐々に下方へ移動していく。その結果、フィルタトレイ４０の後部が、吸気口１１から下方に距離Ｙ２だけ離れる（図４参照）。
【００２７】
そして、測定者等は前方（図では右方向）にフィルタトレイ４０を引き出していくことで、フィルタ後部曲部４２が、左側本体後部ローラ１５ａ及び右側本体後部ローラ１５ｂ上から滑り落ち（図５参照）、さらに測定者等はエアフィルタ２０が取り出せる位置までフィルタトレイ４０を引き出していく。その後、測定者等は、板状体部４１の上面から古いエアフィルタ２０を取り出し、板状体部４１の上面に新しいエアフィルタ２０を載置する。
【００２８】
次に、測定者等は把持部４３を把持して、フィルタトレイ４０を後方に押し込んでいくが、フィルタ後部曲部４２が左側本体後部ローラ１５ａ及び右側本体後部ローラ１５ｂ上に乗り、その後、左側本体後部ローラ１５ａ及び右側本体後部ローラ１５ｂに当接しながら後方に移動していくとともに徐々に上方へ移動していく。これにより、フィルタトレイ４０の後部が吸気口１１に密着する。また、フィルタ前部当たり４４が本体前部当たり１６上に乗ることで、フィルタトレイ４０の前部が吸気口１１に密着する。
【００２９】
以上のように、本考案のＩＣＰ発光分光分析装置１によれば、吸気方向（上下方向）と垂直な方向（前後方向）にスライド可能で、取り付けの最後や取り外しの最初に吸気方向にスライドするフィルタトレイ４０を備えることにより、エアフィルタ２０をフィルタトレイ４０上に載置して後方に押し込むだけで、エアフィルタ２０を所定の位置（正常な位置）に配置することができる。よって、メンテナンス方向（上下方向）の空間が狭くても、エアフィルタ２０を容易に交換することができる。また、フィルタトレイ４０を前後方向へ移動させる際には、フィルタトレイ４０が距離Ｙ２だけ下方に移動した状態であるので、エアフィルタ２０が吸気口１１に引っ掛かって変形することもない。
【産業上の利用可能性】
【００３０】
本考案は、ＩＣＰ発光分光分析装置等に利用することができる。
【符号の説明】
【００３１】
１  ＩＣＰ発光分光分析装置
１０  筐体
１１  吸気口
１３  冷却用ファン
１４  発熱部
２０  エアフィルタ
３０  脚部
４０  フィルタトレイ
４２  フィルタ後部曲部
４４  フィルタ前部当たり
【図１】
0003196212.tif 000003
【図２】
0003196212.tif 000004
【図３】
0003196212.tif 000005
【図４】
0003196212.tif 000006
【図５】
0003196212.tif 000007
【図６】
0003196212.tif 000008
【図７】
0003196212.tif 000009
【図８】
0003196212.tif 000010
【図９】
0003196212.tif 000011